(57)【要約】【課題】冷蔵庫に庫内ファンの制御装置を搭載するにあたり、特に冷却負荷のかかる冷蔵庫ドアの開放状態における庫内温度の上昇を抑制する制御装置を提供する。【解決手段】冷蔵庫の庫内ファンモーター１７の回転数を可変速制御する庫内ファン回転数制御手段１６と、冷蔵庫扉の開閉状態と開閉角度を検出する扉開閉角度検出手段１１と、冷蔵庫扉の開閉角度を予め定められた開閉角度と比較する扉開閉角度判定手段１２とからなり、前記冷蔵庫扉の開閉が行われた場合、その時の冷蔵庫扉の開閉角度を判定して、冷蔵庫扉の開放状態終了後、庫内ファンの回転数を予め定められた回転数で、予め定められた時間強制的に運転するようにした冷蔵庫であり、これによって冷蔵庫内の温度上昇を抑制して庫内の食品などへの悪影響を少なくすることができる。【選択図】図１
2005201517.tif 000002
【特許請求の範囲】
【請求項１】
冷蔵庫の庫内ファンモータの回転数を可変速制御する庫内ファン回転数制御手段と、冷蔵庫扉の開閉状態と開閉角度を検出する扉開閉角度検出手段と、冷蔵庫扉の開閉角度を予め定められた開閉角度と比較する扉開閉角度判定手段とからなり、前記冷蔵庫扉の開閉が行われた場合、その時の冷蔵庫扉の開閉角度を判定して、冷蔵庫扉の開放状態終了後、庫内ファンモータの回転数を予め定められた回転数で、予め定められた時間強制的に運転するようにした冷蔵庫。
【請求項２】
冷蔵庫扉の扉開放状態の経過時間を積算する扉開放時間積算手段と、扉開放状態の経過時間を予め定められた扉開放状態の経過時間と比較する扉開放時間判定手段を備え、前記冷蔵庫扉の開閉が行われた場合、その時の冷蔵庫扉の開閉角度と開放状態経過時間を判定して、冷蔵庫扉の開放状態終了後、庫内ファンモータの回転数を予め定められた回転数で、予め定められた時間強制的に運転するようにした請求項１に記載の冷蔵庫。
【発明の詳細な説明】
【技術分野】
【０００１】
本発明は、庫内温度管理に有効なファンモータ回転数を可変速制御する庫内ファンを備えた冷蔵庫に関するものである。
【背景技術】
【０００２】
近年、冷蔵庫の庫内ファンは、冷蔵庫扉開閉による庫内温度上昇抑制のため、冷蔵庫扉開閉に応じて制御されている。（例えば、特許文献１参照）
以下、図面を参照しながら従来の冷蔵庫の制御装置を説明する。
【０００３】
図５は従来の冷蔵庫の制御装置のブロック図である。圧縮機回転数制御回路２０１は交流電源２０２と、整流回路２０３、スイッチングトランジスタと還流ダイオードからなるスイッチング素子２０４で構成されるインバータ制御回路２０５によって構成されている。前記インバータ制御回路２０５の出力周波数を変化させることによって圧縮機のモータが可変速制御される。前記圧縮機可変速制御回路２０１は、庫内温度検出手段２０６と庫内設定温度検出手段２０７の検出信号にもとづいて機能し、庫内温度が設定温度に近づくように圧縮機の回転数を可変速制御する。扉開閉検出手段２０８は冷蔵庫扉の開閉を検出する手段である。庫内ファン制御手段２０９は前記扉開閉検出手段８の信号により庫内ファン２１０を回転または停止させる庫内ファン制御手段である。
【特許文献１】特開平９−４９５９号公報
【発明の開示】
【発明が解決しようとする課題】
【０００４】
しかしながら、上記従来の構成は、庫内ファン２１０の制御において、特に冷蔵庫扉の開放が行われた場合、庫外からの暖気が流入し庫内温度を上昇させるため、扉の開放状態終了後から庫内温度を早く復帰させるよう庫内ファン２１０を制御するが、庫内ファン制御手段２０９への入力信号が扉開閉検出手段２０８のため、扉の開閉角度に応じた暖気の流入量に適合した庫内ファン２１０の制御ができず、庫内温度の復帰に時間がかかり、保存中の食品などに悪影響を及ぼす恐れがあった。
【０００５】
本発明の目的は、庫内ファンを制御するにあたって、特に冷蔵庫扉の開閉が行われた場合、その時の冷蔵庫扉の開閉角度と開放時間に応じて、冷蔵庫扉の開放状態の終了後、庫内ファンモータの回転数を予め定められた回転数で、予め定められた時間強制的に運転することで、冷蔵庫内の温度上昇を抑制して庫内の食品などへの悪影響を少なくする制御方法を提供することにある。
【課題を解決するための手段】
【０００６】
上記課題を解決するため、本発明の冷蔵庫は、庫内ファンモータの回転数を可変速制御する庫内ファン回転数制御手段と、冷蔵庫扉の開閉状態と開閉角度を検出する扉開閉角度検出手段と、冷蔵庫扉の開閉角度を予め定められた開閉角度と比較する扉開閉角度判定手段とからなり、前記冷蔵庫扉の開閉が行われた場合、その時の冷蔵庫扉の開閉角度を判定して、冷蔵庫扉の開放状態終了後、庫内ファンの回転数を予め定められた回転数で、予め定められた時間強制的に運転するようにした冷蔵庫であり、これによって冷蔵庫内の温度上昇を抑制して庫内の食品などへの悪影響を少なくする。
【発明の効果】
【０００７】
本発明の冷蔵庫によれば、冷蔵庫扉開閉による温度上昇をより確実に抑えることができ、庫内の食品に及ぼす悪影響を少なくすることができる。
【発明を実施するための最良の形態】
【０００８】
請求項１に記載の冷蔵庫の発明は、庫内ファンモータの回転数を可変速制御する庫内ファン回転数制御手段と、冷蔵庫扉の開閉状態と開閉角度を検出する扉開閉角度検出手段と、冷蔵庫扉の開閉角度を予め定められた開閉角度と比較する扉開閉角度判定手段とからなり、前記冷蔵庫扉の開閉が行われた場合、その時の冷蔵庫扉の開閉角度を判定して、冷蔵庫扉の開放状態終了後、庫内ファンの回転数を予め定められた回転数で、予め定められた時間強制的に運転するようにした冷蔵庫であり、これによって冷蔵庫内の温度上昇を抑制して庫内の食品などへの悪影響を少なくする。
【０００９】
請求項２に記載の発明は、請求項１に記載の発明に、さらに扉開放状態の経過時間を積算する扉開放時間積算手段と、扉開放状態の経過時間を予め定められた扉開放状態の経過時間と比較する扉開放時間判定手段を備えたものであり、前記冷蔵庫扉の開閉が行われた場合、その時の冷蔵庫扉の開閉角度と開放状態経過時間を判定して、冷蔵庫扉の開放状態終了後、圧縮機の回転数を予め定められた回転数で一定時間強制的に運転するようにした冷蔵庫であり、これによって冷蔵庫内の温度上昇を抑制して庫内の食品などへの悪影響を少なくする。
【００１０】
以下、本発明の実施の形態について、図面を参照しながら説明する。なお、従来と同一構成については、同一符号を付して詳細な説明を省略する。また、この実施の形態によってこの発明が限定されるものではない。
【００１１】
（実施の形態１）
図１は、本発明の実施の形態１による冷蔵庫の庫内ファン制御手段のブロック図である。図２は同実施の形態の動作を示すフローチャートである。図１おいて、扉開閉角度検出手段１１は、例えばドアヒンジの回転に連動したボリューム抵抗などで構成される。扉開閉角度判定手段１２は冷蔵庫扉開閉角度と予め定められた扉開閉角度を比較するものであり、例えば冷蔵庫制御マイコン１３のソフトウェアにより構成される。庫内ファン回転数制御手段１４は庫内ファンの回転数を制御するものであり、例えば可変電圧電源回路によって構成される。１５は庫内ファンであり、例えば直流モータにより構成される。
【００１２】
以上のように構成された本発明の実施形態について、その動作を図２のフローチャートを用いて説明する。
【００１３】
まずステップ１０１において、扉開閉角度検出手段１１にて扉開閉角度（＝Ｄ）を検出し、ステップ１０２において、扉開閉角度Ｄが０度かどうかを判定して、扉が開かれたかどうかを判定する。この時、扉開閉角度Ｄ≠０度であれば扉が開かれたと判断する。扉開閉角度Ｄが０度の場合は、そのまま通常運転を継続し、扉開閉角度を読み続ける。次に、ステップ１０３において、扉開閉角度Ｄが予め定められた扉開閉角度Ｄ１より大きいかどうかを判定し、Ｄ＞Ｄ１の場合とＤ＜Ｄ１の場合に分岐する。次に、ステップ１０４において、扉開閉角度Ｄが０度かどうかを判定して、扉開閉角度Ｄ＝０であれば扉が閉じられたと判断して、ステップ１０５において、Ｄ＞Ｄ１の場合とＤ＜Ｄ１の場合のそれぞれにおいて、庫内ファンモータ１７を予め定められた回転数で、予め定められた時間強制的に運転させる。次に、ステップ１０１へ戻る。
【００１４】
以上のように構成された冷蔵庫の制御装置では冷蔵庫扉の開閉角度を検出して、それによって庫内ファン１７を強制的に運転させることで、扉開閉による庫内温度上昇を抑えることができる。
【００１５】
（実施の形態２）
図３は、本発明の実施の形態２による冷蔵庫の庫内ファン制御手段のブロック図である。図４は同実施の形態の動作を示すフローチャートである。図３において、扉開放時間カウントタイマ１６は冷蔵庫扉開放状態の経過時間を積算するものであり、例えば冷蔵庫制御マイコン１３のソフトウェアにより構成される。扉開放時間判定手段１７は冷蔵庫扉開放状態の経過時間と予め定められた冷蔵庫扉開放状態の経過時間を比較するものであり、例えば冷蔵庫制御マイコン１３のソフトウェアにより構成される。
【００１６】
本実施の形態は、実施の形態１による冷蔵庫に、さらに扉開放時間カウントタイマ１６と扉開放時間判定手段１７を設けたものである。
【００１７】
以上のように構成された本発明の実施形態について、その動作を図４のフローチャートを用いて説明する。
【００１８】
まずステップ１０１において、扉開閉角度検出手段１１にて扉開閉角度（＝Ｄ）を検出し、ステップ１０２において、扉開閉角度Ｄが０度かどうかを判定して、扉が開かれたかどうかを判定する。この時、扉開閉角度Ｄ≠０度であれば扉が開かれたと判断して、ステップ１１１にて扉開放時間（＝Ｔ）カウントタイマをスタートさせる。扉開閉角度Ｄが０度の場合は、そのまま通常運転を継続し、扉開閉角度を読み続ける。次に、ステップ１０３において、扉開閉角度Ｄが予め定められた扉開閉角度Ｄ１より大きいかどうかを判定し、Ｄ＞Ｄ１の場合とＤ＜Ｄ１の場合に分岐する。次に、ステップ１０４において、扉開閉角度Ｄが０度かどうかを判定して、扉開閉角度Ｄ＝０であれば扉が閉じられたと判断して、ステップ１１２にて、扉開放時間カウントタイマをストップさせる。扉開閉角度Ｄ＝０でなければ、扉が開かれたままであると判断して、扉開放時間のカウントを継続する。次に、ステップ１１３において、カウントされた扉開放時間Ｔが予め定められた扉開放時間Ｔ１より大きいかどうかを判定し、Ｔ＞Ｔ１の場合とＴ＜Ｔ１の場合に分岐する。次に、ステップ１１４において、Ｔ＞Ｔ１の場合とＴ＜Ｔ１の場合のそれぞれにおいて、庫内ファンモータ１７を予め定められた回転数で、予め定められた時間強制的に運転させる。次に、ステップ１０６において、扉開放時間カウントタイマ１４をクリアさせて、ステップ１へ戻る。なお、ステップ１０３について、Ｄ＞Ｄ１とＤ＜Ｄ１のいずれの場合もステップ１０４以下同様の制御を行い、ステップ１１４での庫内ファン運転モードがそれぞれ予め定められた回転数、予め定められた時間で実行される。
【００１９】
以上のように構成された冷蔵庫の制御装置では冷蔵庫扉の開閉角度と開放時間を検出して、それによって庫内ファン１７を強制的に運転させることで、扉開閉による庫内温度上昇を抑えることができる。
【産業上の利用可能性】
【００２０】
以上のように、本発明にかかる冷蔵庫は、冷蔵庫扉開閉による温度上昇をより確実に抑えることができ、強制対流冷却方式の冷却機器に幅広く適用できる。
【図面の簡単な説明】
【００２１】
【図１】本発明による実施の形態１の冷蔵庫の庫内ファンの制御装置の構成を示すブロック図
【図２】同実施の形態の冷蔵庫の庫内ファンの制御動作を示すフローチャート
【図３】本発明による実施の形態２の冷蔵庫の庫内ファンの制御装置の構成を示すブロック図
【図４】同実施の形態の冷蔵庫の庫内ファンの制御動作を示すフローチャート
【図５】従来例の冷蔵庫の制御装置の構成を示すブロック図
【符号の説明】
【００２２】
１１    扉開閉角度検出手段
１２    扉開閉角度判定手段
１３    冷蔵庫制御マイコン
１４    扉開放時間カウントタイマ
１５    扉開放時間判定手段
１６    庫内ファン回転数制御手段
１７    庫内ファン（モータ）
【図１】
2005201517.tif 000003
【図２】
2005201517.tif 000004
【図３】
2005201517.tif 000005
【図４】
2005201517.tif 000006
【図５】
2005201517.tif 000007